(57)【要約】  前照灯を有するサージカルヘルメットと共に使用するための防護服システムであって、サージカルガーメントを含む防護服装置を備え、衣服は、着用者と環境との間の滅菌バリアを画定する。システムは、環境側のサージカルガーメントに隣接し、前照灯と共に使用するための結合部材と協働するように構成されたレンズ組立体を含む。レンズ組立体は、制御部材およびレンズを含むことができ、制御部材は、着用者によって操作可能である。制御部材は、着用者による操作が、滅菌バリアを破ることなく、前照灯からの光の方向および／または強度を調整するために、レンズ組立体のレンズを再配置できるように構成できる。
2021529893.tif 000002
【特許請求の範囲】
【請求項１】
前照灯を有するサージカルヘルメットと共に使用するための環境側および着用者側を画定する着用型サージカルガーメントであって、
医療環境と着用者との間に微生物バリアを提供するように構成されたサージカル布と、
前記サージカル布に結合されるフェイスシールドと、
前記環境側の前記フェイスシールドに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
第１のレンズと、
制御部材と、を備え、
前記制御部材は、前記第１のレンズに動作可能に結合され、前記レンズ組立体の特性を調整するために、前記サージカルガーメントの前記環境側で前記着用者によって操作可能である、着用型サージカルガーメント。
【請求項２】
前記フェイスシールドの前記着用者側に少なくとも部分的に配設された結合部材を更に含む、請求項１に記載の着用型サージカルガーメント。
【請求項３】
前記フェイスシールドは、前記結合部材と前記レンズ組立体との間に配設される、請求項２に記載の着用型サージカルガーメント。
【請求項４】
前記フェイスシールドは、開口を備え、したがって、前記前照灯によって放出された前記光が前記フェイスシールドおよび前記結合部材の前記開口を通って伝達される、請求項２または３に記載の着用型サージカルガーメント。
【請求項５】
前記結合部材は、前記フェイスシールドの前記着用者側に配設されて前記前照灯を前記結合部材に取り外し可能に結合するように構成された取付け部を更に含む、請求項２から４のいずれか１項に記載の着用型サージカルガーメント。
【請求項６】
前記結合部材は、リング形状である、請求項２から５のいずれか１項に記載の着用型サージカルガーメント。
【請求項７】
前記結合部材は、前記レンズ組立体に取り外し可能に結合されるように構成された取付け部を更に含む、請求項２から６のいずれか１項に記載の着用型サージカルガーメント。
【請求項８】
前記結合部材は、前記フェイスシールドの単一の構成要素として少なくとも部分的に形成される、請求項２、４、５、または７のいずれか１項に記載の着用型サージカルガーメント。
【請求項９】
前記レンズ組立体は、第２のレンズを更に備え、
前記サージカルガーメントの前記環境側での前記着用者による前記制御部材の前記操作は、前記前照灯から放出された前記光の方向および／または強度を操作するために、前記第１のレンズに対する前記第２のレンズの位置を調整する、請求項１から８のいずれか１項に記載の着用型サージカルガーメント。
【請求項１０】
前記第１のレンズは、前記前照灯によって放出された前記光をフィルタリングするために、前記第１のレンズに配設されたフィルムを更に含む、請求項１から９のいずれか１項に記載の着用型サージカルガーメント。
【請求項１１】
前照灯を有するサージカルヘルメットと共に使用するための防護服装置であって、
環境側および着用者側を画定する着用型サージカルガーメントであって、医療環境と着用者との間に微生物バリアを提供するように構成されたサージカル布を含む、着用型サージカルガーメントと、
前記前照灯に結合されるように構成された結合部材と、
前記環境側で前記サージカルガーメントに結合されて前記前照灯と位置合わせされるように構成されたレンズ組立体と、を備え、
前記レンズ組立体は、
ハウジングと、
前記ハウジングに結合される第１のレンズと、
前記ハウジングに結合される制御部材と、を備え、
前記制御部材は、前記第１のレンズに動作可能に結合されて、前記レンズ組立体の特性を調整するために、前記サージカルガーメントの前記環境側で前記着用者によって操作可能であり、
前記レンズ組立体の前記ハウジングは、前記前照灯に対して前記第１のレンズを位置合わせするために前記結合部材と協働する、防護服装置。
【請求項１２】
前記サージカルガーメントは、フェイスシールドを更に含む、請求項１１に記載の防護服装置。
【請求項１３】
前記結合部材は、前記レンズ組立体の前記ハウジングに取り外し可能に結合されるように構成された取付け部を更に含む、請求項１１または１２に記載の防護服装置。
【請求項１４】
前記取付け部は、鉄材料を含む、請求項１３に記載の防護服装置。
【請求項１５】
前記制御部材は、内ネジを備え、
前記ハウジングは、外ネジを備え、それによって前記制御部材の前記内ネジは、前記ハウジングの前記外ネジと係合可能である、請求項１１から１４のいずれか１項に記載の防護服装置。
【請求項１６】
前記制御部材は、第２のレンズに結合され、
前記制御部材は、前記第１のレンズに対する前記第２のレンズの位置を調整するために、前記サージカルガーメントの前記環境側の前記着用者によって操作可能である、請求項１１から１５のいずれか１項に記載の防護服装置。
【請求項１７】
前記制御部材は、前記制御部材を捩ることによって前記着用者によって操作される、請求項１１から１６のいずれか１項に記載の防護服装置。
【請求項１８】
防護服システムであって、
着用者の頭の上に着用されるべき、前照灯を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記前照灯に結合するように構成された結合部材と、
前記環境側で前記サージカルガーメントに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
ハウジングと、
前記ハウジングに結合される第１のレンズと、
前記ハウジングに結合される制御部材と、
第２のレンズと、を備え、
前記制御部材は、前記第２のレンズに動作可能に結合されて、前記レンズ組立体の特性を調整するために、前記サージカルガーメントの前記環境側で前記着用者によって操作可能であり、
前記サージカルガーメントの前記環境側の前記着用者による前記制御部材の前記操作は、前記前照灯から放出された前記光を方向付けするために、前記第１のレンズに対する前記第２のレンズの位置を調整する、防護服システム。
【請求項１９】
前記前照灯は、雌雄嵌合取付け部を備え、
前記結合部材は、取付け部を備え、
それによって前記雌雄嵌合取付け部は、前記前照灯が前記レンズ組立体と位置合わせされるように、前記結合部材の前記取付け部に雌雄嵌合するように構成される、請求項１８に記載の防護服システム。
【請求項２０】
前記サージカルガーメントは、前記結合部材と前記レンズ組立体との間に配設される、請求項１８または１９に記載の防護服システム。
【請求項２１】
防護服システムであって、
着用者の頭の上に着用されるべき、取付け部を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記ヘルメットに結合するように構成された結合部材であって、前記取付け部と雌雄嵌合するように構成された雌雄嵌合取付け部を含む、結合部材と、
前記環境側で前記サージカルガーメントに隣接し、前記結合部材と協働するように構成されたレンズ組立体と、を備え、
前記レンズ組立体は、
ハウジングと、
前記ハウジングに結合される第１のレンズと、
前記ハウジングに結合される制御部材と、を備え、
前記制御部材は、前記レンズ組立体の特性を調整するために、前記サージカルガーメントの前記環境側で前記着用者によって操作可能である、防護服システム。
【請求項２２】
静的な前照灯を有するサージカルヘルメットと共に使用するための環境側および着用者側を画定する防護服装置であって、
医療環境と着用者との間に微生物バリアを提供するように構成されたサージカル布と、
前記サージカル布に結合されるフェイスシールドと、
前記環境側の前記フェイスシールドに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
第１のレンズを含んで前記フェイスシールドに結合される制御部材を備え、
前記制御部材は、前記フェイスシールドの前記環境側の前記着用者による前記制御部材の操作が前記フェイスシールドに対する前記第１のレンズの位置を調整するように構成される、防護服装置。
【請求項２３】
前記レンズ組立体は、前記制御部材を前記フェイスシールドに結合するように構成された調整可能部を更に含む、請求項２２に記載の防護服装置。
【請求項２４】
前記調整可能部は、前記制御部材の前記位置および／または配向が前記フェイスシールドおよび／または前記静的な前照灯に対して操作可能であるのを可能にするために、可撓性および／または延長可能／退縮可能である、請求項２３に記載の防護服装置。
【請求項２５】
前照灯を有するサージカルヘルメットと共に使用するための環境側および着用者側を画定する防護服装置であって、
医療環境と着用者との間に微生物バリアを提供するように構成されたサージカル布と、
前記サージカル布に結合されるフェイスシールドと、
レンズを含む制御部材と、
前記着用者側に少なくとも部分的に配設されて、前記前照灯によって放出された光が前記制御部材の前記レンズを通して伝達されるように前記前照灯またはヘルメットと結合するように構成された結合部材と、を備え、
前記制御部材は、前記フェイスシールドの前記環境側の前記着用者による前記制御部材の操作が前記フェイスシールドに対する前記レンズの位置を調整するように構成される、防護服装置。
【請求項２６】
防護服システムであって、
着用者の頭の上に着用されるべき、前照灯を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記サージカル布に結合されるフェイスシールドと、
前記環境側の前記フェイスシールドに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
第１のレンズを含んで前記フェイスシールドに結合される制御部材を備え、
前記制御部材は、前記フェイスシールドの前記環境側の前記着用者による前記制御部材の操作が前記フェイスシールドに対する前記第１のレンズの位置を調整するように構成される、防護服システム。
【請求項２７】
前記レンズ組立体は、前記制御部材を前記フェイスシールドに結合するように構成された調整可能部を更に含む、請求項２６に記載の防護服システム。
【請求項２８】
前記調整可能部は、前記制御部材の前記位置および／または配向が前記フェイスシールドおよび／または前記静的な前照灯に対して操作可能であるのを可能にするために、可撓性および／または延長可能／退縮可能である、請求項２７に記載の防護服システム。
【請求項２９】
防護服システムであって、
着用者の頭の上に着用されるべき、前照灯を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記サージカル布に結合されるフェイスシールドと、
レンズを含む制御部材と、
前記着用者側に少なくとも部分的に配設されて、前記前照灯によって放出された光が前記制御部材の前記レンズを通して伝達されるように前記前照灯またはヘルメットと結合するように構成された結合部材と、を備え、
前記制御部材は、前記フェイスシールドの前記環境側の前記着用者による前記制御部材の操作が前記フェイスシールドに対する前記レンズの位置を調整するように構成される、防護服システム。
【発明の詳細な説明】
【技術分野】
【０００１】
関連出願
本出願は、２０１８年６月２７日に出願された米国仮出願第６２／６９０，５５９号の優先権および利益を主張し、ここに参照によってその全体が本明細書に組み込まれる。
【背景技術】
【０００２】
防護服システムは、医療／外科要員と患者との間に滅菌バリアを提供するために、外科的な処置において使用される。防護服システムは、サージカルガーメントを支持するヘルメットを含む。ヘルメットは、医療／外科要員が患者を手術するときに、患者または作業空間の一部を照光するために、前照灯を備えることがある。この集合体は、滅菌バリアを確立するために、医療／外科要員によって着用される。
【０００３】
滅菌バリアは、外科的な処置または検査中の粒子または異物の交換および／または移動を防止する。加えて、バリアは、血液や他の体液への曝露から着用者を保護するのに役立つ。着用者と患者の間に信頼できるバリアを維持することは、最も重要である。
【０００４】
医療および外科的な処置中、着用者は、作業空間のより良い視界および照明のために、前照灯からの光を調整または再方向付けする必要があることがある。前照灯からの光の調整または再方向付けは、前照灯の調整、傾斜、または、操作を必要とする。例えば、前照灯は、患者の身体を照明するために、下向きに傾斜されることがある。現在、着用者は、サージカルガーメントを介して前照灯を調整する。同時に、外科用の空間の視界を維持することは、最重要である。前照灯を下向きに傾斜させることによって、作業空間の視界は、低下する。斯くして、処置中の前照灯のどのような調整も、処置の視界を危うくすべきでない。
【０００５】
更にまた、前照灯の位置が手術前には容認できるが、処置中には容認できない場合があることがある。そういった場合に、処置は、前照灯の適切な調整が得られるまで、遅延されることがある。これは、処置を遅延させることによって、処置の効率を低下させる。
【０００６】
少なくとも前述の課題を克服するように設計された特徴部を備えた防護服システムは、望まれている。本開示のこれらや他の構成、特徴部、および、利点は、当業者にとって明らかであろう。本開示は、これらの構成、特徴部、および、利点に対してまたはそれによって限定されない。
【発明の概要】
【０００７】
着用型サージカルガーメントの１つの構成は、前照灯を有するサージカルヘルメットと共に使用するために提供される。サージカルガーメントは、医療環境と着用者との間に微生物バリアを提供するように構成されたサージカル布を含む。サージカルガーメントは、環境側と着用者側を画定する。結合部材は、着用者側に設けられる。レンズ組立体は、環境側のサージカル布に結合される。結合部材は、前照灯がレンズ組立体と位置合わせされるように、着用者側で前照灯に結合するために機能できる。レンズ組立体は、前照灯によって放出された光がレンズ組立体を通して伝達されるように、前照灯と位置合わせされる。レンズ組立体は、第１のレンズと制御部材とを備え、制御部材は、第１のレンズに動作可能に結合される。制御部材は、レンズ組立体の特性を調整するために、サージカルガーメントの環境側の着用者によって操作可能である。
【０００８】
防護服装置の１つの構成は、前照灯を有するサージカルヘルメットと共に使用するために提供される。防護服装置は、着用型サージカルガーメントおよびレンズ組立体を含む。着用型サージカルガーメントは、環境側および着用者側を画定する。サージカルガーメントは、医療環境と着用者との間に微生物バリアを提供するように構成されたサージカル布を含む。レンズ組立体は、環境側でサージカルガーメントに結合され、前照灯と位置合わせされるように構成される。レンズ組立体は、ハウジングと、ハウジングに結合された第１のレンズと、ハウジングに結合された制御部材と、を含む。制御部材は、第１のレンズに動作可能に結合される。制御部材は、レンズ組立体の特性を調整するために、サージカルガーメントの環境側の着用者によって操作可能である。
【０００９】
防護服システムの１つの構成が提供される。防護服システムは、着用者の頭の上に着用されるべきサージカルヘルメットを含む。サージカルヘルメットは、前照灯を含む。防護服システムは、サージカルヘルメットの上に少なくとも部分的に配設されるように構成されたサージカルガーメントを含む。サージカルガーメントは、環境側および着用者側を画定する。サージカルガーメントは、医療環境と着用者との間に微生物バリアを提供するように構成されたサージカル布を含む。結合部材は、着用者側に設けられる。サージカルガーメントは、環境側でサージカルガーメントに結合されたレンズ組立体を更に含む。レンズ組立体は、前照灯によって放出された光がレンズ組立体を通して伝達されるように、前照灯と位置合わせされるように構成される。レンズ組立体は、ハウジングと、ハウジングに結合された第１のレンズと、ハウジングに結合された制御部材と、第２のレンズと、を含む。制御部材は、第２のレンズに動作可能に結合され、レンズ組立体の特性を調整するために、サージカルガーメントの環境側で着用者によって操作可能である。サージカルガーメントの環境側の着用者による制御部材の操作は、滅菌バリアを破ることなく、前照灯から放出された光を方向付けするために、第１のレンズに対する第２のレンズの位置を調整する。
【００１０】
サージカルガーメント、防護服装置、および、防護服システムは、先の技術では対処されなかった課題に対する解決策を提供する。本明細書で説明される技術は、処置の滅菌性を維持する滅菌バリアを破ることなく、前照灯からの光を調整するための解決策を提供する。斯くして、サージカルガーメント、防護服装置、および、防護服システムは、前照灯の調整および滅菌バリアの維持と関係するこの微妙なバランスを最適に満たすための解決策を提供する。そのうえ、もたらされる処置についてのどのような有害な効果も、この技術が前照灯からの光の適切な調整ならびに処置中の滅菌バリアの維持を確実にするという理由で、軽減される。したがって、本明細書での技術は、前照灯からの光の調整に対する解決策を提供し、それによって、好結果の外科的処置の可能性を高め、外科的処置中の滅菌バリアの破れを解消する。
【００１１】
サージカルガーメント、防護服装置、および、防護服システムは、上で説明されたそれら以外の解決策を提供できる。
【００１２】
さて、図面を参照すると、例示的な例証が詳細に示されている。図面は概略構成を表しているが、図面は必ずしもスケール通りではなく、或る種の特徴部は、例証的な構成の革新的な態様をより良く例証および解説するために、誇張されていることがある。更に、本明細書で説明される例示的な例証は、網羅的であるか、そうでなければ、図面に示されて以下の詳細な説明に開示された正確な形態および構成に限定または制限するということを意図していない。
【００１３】
本開示の利点は、添付の図面に関連して考察されるときに、以下の詳細な説明を参照することによって、同じことがより良く理解されるようになるので、容易に理解されるであろう。
【図面の簡単な説明】
【００１４】
【図１Ａ】サージカルヘルメットが幻影的に示された、サージカルヘルメット、サージカルガーメント、およびレンズ組立体を含む防護服システムの例示的な構成の斜視図である。
【図１Ｂ−Ｃ】サージカルヘルメットが前照灯を含む、図１Ａの防護服システムのサージカルヘルメットの第１の構成の斜視図である。
【図２Ａ】図１Ａの防護服システムのサージカルガーメントの第１の構成の斜視図である。
【図２Ｂ】サージカルガーメントのフェイスシールドが開口を含む、図１Ａの防護服システムのサージカルガーメントの第２の構成の斜視図である。
【図２Ｃ】サージカルガーメントがハウジングおよび制御部材を含むレンズ組立体を含む、図１Ａの防護服システムのサージカルガーメントの第３の構成の斜視図である。
【図３Ａ】前照灯を備えたサージカルヘルメットと、図２Ａのサージカルガーメントの第１の構成のフェイスシールドと共に使用するためのレンズ組立体の第１の構成と、を含む図１Ａの防護服システムの例示的な構成の部分分解図である。
【図３Ｂ】前照灯を備えたサージカルヘルメットと、図２Ｂのサージカルガーメントの第２の構成のフェイスシールドと共に使用するためのレンズ組立体の第２の構成と、を含む図１Ａの防護服システムの例示的な構成の部分分解図である。
【図３Ｃ】前照灯を備えたサージカルヘルメットと、レンズ組立体の第３の構成と、を含む図１Ａの防護服システムの例示的な構成の部分分解図である。
【図４】線Ａ−Ａの沿った図１Ａの防護服システムの一部の断面図である。
【図５Ａ】図３Ａのサージカルガーメントおよびレンズ組立体の第１の構成と共に使用するための前照灯および結合部材の例示的な構成の部分分解図である。
【図５Ｂ】レンズ組立体がハウジングと、第１のレンズと、第２のレンズと、制御部材と、を含む図３Ａのレンズ組立体の第１の構成の部分分解図である。
【図６Ａ】図３Ｂのサージカルガーメントおよびレンズ組立体の第２の構成と共に使用するための前照灯および結合部材の例示的な構成の部分分解図である。
【図６Ｂ】レンズ組立体が結合部を有するハウジングと、第１のレンズと、第２のレンズと、制御部材と、を含む図３Ｂのレンズ組立体の第２の構成の部分分解図である。
【図７Ａ】レンズ組立体と共に使用するための第１のレンズの層の断面図である。
【図７Ｂ】レンズ組立体と共に使用するための第２のレンズの層の断面図である。
【図８Ａ】ハウジングから離れた第１の距離に位置する制御部材を例証している、図３Ｂおよび４のレンズ組立体の第２の構成の斜視図である。
【図８Ｂ】ハウジングから離れた第２の距離に位置する制御部材を例証している、図３Ｂおよび４のレンズ組立体の第２の構成の斜視図である。
【図８Ｃ】ハウジングから離れた第３の距離に位置する制御部材を例証している、図３Ｂおよび４のレンズ組立体の第２の構成の斜視図である。
【図９Ａ−Ｂ】図９Ａは、制御部材がハウジングから離れた第１の距離に位置するときの第１のレンズおよび第２のレンズを含むレンズ組立体の第２の構成によって作成された例示的な光パターンを例証している図８Ａの概略図、図９Ｂは、制御部材がハウジングから離れた第２の距離に位置するときの第１のレンズおよび第２のレンズを含むレンズ組立体の第２の構成によって作成された例示的な光パターンを例証している図８Ｂの概略図である。
【図９Ｃ】制御部材がハウジングから離れた第３の距離に位置するときの第１のレンズおよび第２のレンズを含むレンズ組立体の第２の構成によって作成された例示的な光パターンを例証している図８Ｃの概略図である。
【図１０】図３Ｃのライト組立体の第３の構成によって作成された例示的な光パターンの概略図である。
【発明を実施するための形態】
【００１５】
Ｉ．患者アパレルシステムの全体像
医療処置または検査中の粒子または異物の交換および／または移動を防止するために、医療要員／ヘルスケア提供者と患者との間に滅菌バリアを維持することは、最も重要である。ヘルスケア提供者は、滅菌バリアを維持するために、防護服システム５として知られている組立体を着用できる。
【００１６】
図１Ａを参照すると、防護服装置１０およびサージカルヘルメット２２を含む防護服システム５の例示的な構成が例証されている。したがって、防護服装置１０は、図１Ａに示されたように、サージカルヘルメット２２の上に少なくとも部分的に配設されるように構成された着用型サージカルガーメント２０を含むことができる。サージカルガーメント２０は、サージカルヘルメット２２および着用者の頭の少なくとも一部をカバーするように構成されたサージカル布２４を含むことができる。防護服装置１０は、サージカルガーメント２０に結合されたシールド２６を含むこともできる。防護服装置１０は、サージカルガーメント２０またはシールド２６に結合できるレンズ組立体１４を含むこともできる。まとめると、防護服装置１０の特徴部は、防護服装置１０の着用者側と環境側との間に滅菌バリアを画定するように構成できる。防護服システム５の一部を形成できる防護服装置１０の追加の特徴部および変形例は、下でより詳細に説明されるであろう。
【００１７】
防護服システム５は、サージカルヘルメット２２を含むことができる。図１Ｂおよび１Ｃを参照すると、防護服システム５の一部として防護服装置１０と共に使用できるサージカルヘルメット２２の例示的な構成が例証されている。サージカルヘルメット２２の各構成は、概して、シェル３２、チンバー３１、および、ヘッドバンド３０を含むことができる。シェル３２は、ヘッドバンド３０によって支持されてその上に位置する。シェル３２は、着用者の頭の上に嵌合するために弧状に構成できる。他のヘルメットの設計が企図される。シェル３２の多くの部分は、ボイドを画定するかまたは内部空間を開くために形成できる。例えば、シェル３２は、中央ボイド３４を含むことができる。中央ボイド３４は、シェル３２の後方に向けて位置できる。吸気開口またはアパーチャは、中央ボイド３４へのアクセスを提供するために、シェル３２の上部に存在できる。シェル３２は、シェル３２の前部に近接する前部ボイドおよびシェル３２の後部に近接する後部ボイドなどの追加のボイドを含むこともできる。追加のボイドは、シェル３２の内部にダクト状の構造または通路を形成するように構成できる。
【００１８】
サージカルヘルメット２２は、これらに限定されないが、換気組立体、前照灯１２、カメラ、マイクロフォンまたは他の通信デバイス、冷却デバイス、あるいは、それらの組合せを含む１つまたは複数の周辺デバイスを含むこともできる。例えば、換気組立体は、着用者の頭の上のサージカルヘルメット２２のシェル３２の内部に位置できる。換気組立体は、空気をシェル３２の中央ボイド３４の中に引いて、それをシェル３２の内部のダクト状構造または通路を通して分散させるように構成できる。企図されるのは、周辺デバイスがチンバー３１に配設されるマイクロフォンを含むこともできるということである。更に別の例では、周辺デバイスは、前照灯１２を含むこともできる。前照灯１２は、サージカルヘルメット２２のシェル３２に結合できる。周辺デバイスを含むサージカルヘルメット２２の構成例は、上で説明されているが、例は、限定することを意図していない。企図されるのは、上で説明された周辺デバイスがサージカルヘルメット２２に対して様々な場所および配向で実装および／または取付けできるということである。
【００１９】
防護服装置１０、サージカルヘルメット２２および周辺デバイスの追加の特徴部は、以下の米国特許、即ち、第６，４８１，０１９号、第７，７５２，６８２号、第９，７０６，８０８号、第６，９７３，６７７号、第７，７３５，１５６号、第７，７５２，６８２号、第８，２３４，７２２号、第８，２８２，２３４号、第８，４０７，８１８号、第８，８１９，８６９号、および、第９，１７３，４３７号、のうちの１つまたは複数において説明することができ、ここに参照によって本明細書に組み込まれる。
【００２０】
図１Ｂおよび１Ｃを参照すると、前照灯１２などの周辺デバイスと共に使用するためのサージカルヘルメット２２の例示的な構成が例証されている。前照灯１２は、任意の適切な方法でサージカルヘルメット２２に結合できる。例えば、１つの構成では、前照灯１２は、ヘルメット２２と一体的に形成できる。別の構成では、前照灯１２は、ヘルメット２２に取り外し可能に結合できる。更に別の構成では、前照灯１２は、締結具を介してヘルメット２２に結合できる。締結具は、前照灯１２をヘルメット２２に結合するために、ボルト、ネジ、ピン、ヒンジ、ブラケット、または同種のものを含むことができる。
【００２１】
前照灯１２は、前照灯本体３７を含むことができる。前照灯本体３７は、任意の適切な構成で形成できる。前照灯１２は、前照灯本体３７の内部に少なくとも部分的に配設された透明カバー３６および光源３８（図１Ｂには示されていない）を含むこともできる。透明カバー３６は、光が通過できるように構成されたレンズ、スクリーン、シールド、または他の類似のカバー機構を含むことができる。透明カバー３６は、塵埃、泥、または、湿気が前照灯１２の内側に入るのを防止して同時に光源３８によって伝達される光が通過するのを可能にもする目的で、前照灯本体３７によって画定される前照灯開口をカバーするように構成できる。光源３８は、１つまたは複数の発光ダイオード（ＬＥＤ）を含むことができる。発光ダイオードの数およびタイプは、所望のビーム強度、ビーム幅、電力要件、熱発生および空間稼働率によって決定できる。他の光源３８は、白熱フィラメントおよび同種のものなども企図される。そのうえ、必要な発光効率および必要な光の色に応じて、等色または多色の光を放出する発光ダイオードは、光源３８として使用できる。他の構成では、光源３８は、白熱灯、発光、燃焼、光ファイバ、および同種のものなどの光の発生の任意の方法からのものにできる。
【００２２】
１つの構成では、前照灯１２および／または光源３８は、内部電池を備えた電池動力式にすることができる。別の構成では、前照灯１２および／または光源３８は、導線によって制御器または外部電源に結合できる。例えば、前照灯１２および／または光源３８は、内部電源を備えた自己動力式にすることができ、あるいは、利用可能ならばホストオブジェクトを介して動力を受容できる。
【００２３】
図１Ｂを参照すると、サージカルヘルメット２２Ａの第１の例示的な構成が例証されている。サージカルヘルメット２２Ａは、外科用作業空間の照明または照光を支援するために、ヘルメット２２Ａのシェル３２に直接結合された前照灯１２を含むことができる。前照灯１２は、ヒンジ、ピン、ネジ、ピボット、ブラケット、フックアンドループ、または同種のものによって、サージカルヘルメット２２Ａのシェル３２に結合できる。例えば、前照灯１２は、サージカルヘルメット２２のシェル３２上の対応するブラケットに係合するように構成されたブラケットを含むことができる。シェル３２および前照灯１２の対応するブラケットは、ネジ、ピン、または同種のものによって結合でき、前照灯１２がシェル３２に対して旋回するのを可能にするように構成される。代替として、前照灯１２は、ボールを含むブラケットを含むことができ、シェル３２は、前照灯１２のボールと圧入を形成するように構成された対応する空洞または凹所を含むことができる。更に企図されるのは、前照灯１２が、ネジ、ボルト、または同種の締結具によって、サージカルヘルメット２２のシェル３２に直接結合されるブラケットを含むことができるということである。前照灯１２のこの構成では、ブラケットは、シェル３２への結合時にサージカルヘルメット２２に対して前照灯１２が操作されるのを可能にするために、ピボット、ヒンジ、または同種の機構を含むことができる。図１Ｂは、サージカルヘルメット２２Ａの前部のシェル３２の下側に結合されている前照灯１２を全体的に例証しているが、企図されるのは、前照灯１２がサージカルヘルメット２２Ａの他の場所で結合できるということである。例えば、同じく企図されるのは、前照灯１２が同様の方法でサージカルヘルメット２２Ａのヘッドバンド３０に結合できるということである。
【００２４】
代替として、同じく企図されるのは、前照灯１２が、別個の取付け部４５によってサージカルヘルメット２２Ｂに取り外し可能に結合できるということである。図１Ｃは、前照灯１２などの周辺デバイスをサージカルヘルメット２２Ｂに結合するために、ブラケットなどの取付け部４５を含むサージカルヘルメット２２Ｂの第２の例示的な構成を例証している。例えば、図１Ｃに例証されたように、取付け部４５は、サージカルヘルメット２２のシェル３２に結合できる。取付け部４５は、ネジ、ボルト、ピン、接着剤、フックアンドループ、または他の類似の締結具によって、シェル３２に結合できる。例えば、取付け部４５は、エポキシまたは同様の接着剤を使用してシェル３２に接着できる。代替として、取付け部４５は、１つまたは複数のネジを使用してシェル３２に結合できる。
【００２５】
取付け部４５は、前照灯１２などの周辺デバイスを受容するように構成された取付け部分４７を含むこともできる。例えば、図１Ｃに例証されたように、ブラケットは、前照灯１２を受容および／またはそれに結合するように構成されたリング形状の取付け部分４７を含む。取付け部分４７の例示的な構成は、図１Ｃにおいてリング形状であるとして例証されているが、他の形状が企図される。例えば、取付け部分４７は、Ｕ形状、正方形、または他の類似の形状に構成できる。取付け部分４７は、前照灯１２などの周辺デバイスとの摩擦嵌合を作り出すために、サイズ決めおよび／または形状付けすることができる。代替として、企図されるのは、取付け部分４７が前照灯１２の対応する特徴部に係合する結合部を含むことができるということである。例えば、取付け部分４７は、前照灯１２の外側の対応するネジ部分に係合するように構成されるリング形状によって画定される開口の内側などのネジ部分を含むことができる。代替として、取付け部分４７は、前照灯１２を取付け部分４７に結合するために、前照灯１２の外側の対応するタブおよび／または突起に係合するように構成されるリング形状によって画定されるアパーチャの内側に切削された１つまたは複数の溝を含むことができる。更に別の構成では、企図されるのは、取付け部分４７が、前照灯１２が取付け部分４７に締結できるように、ピン、ボルト、またはネジ等の締結具を受容するための１つまたは複数のアパーチャを含むことができるということである。
【００２６】
同じく企図されるのは、取付け部４５の取付け部分４７が防護服装置１０に結合および／または係合するように構成できるということである。例えば、取付け部分４７は、サージカルヘルメット２２Ｂに対して防護服装置１０および／またはフェイスシールド２６を配向するために、防護服装置１０のフェイスシールド２６に取り外し可能に係合するように構成できる。これは、防護服装置１０および／またはフェイスシールド２６を、取付け部４５に取り付けられている前照灯１２などの周辺デバイスと位置合わせすることを含むことができる。
【００２７】
取付け部４５は、取付け部４５の取付け部分４７がシェル３２および／またはサージカルヘルメット２２Ｂに対して操作されるのを可能にするように構成されたヒンジ、ピボット、または同様の機構を更に含むことができる。例えば、取付け部４５は、取付け部分４７が必要でないときに道から外れるように折り畳み／揺動されるのを可能にするヒンジを含むことができる。これは、外科的処置中に着用者の視野から潜在的な障害物または注意散漫を取り除いて、取付け部分４７が必要でないときに着用者の視野から外れるように動かされるのを可能にするであろう。
【００２８】
上で説明されたように、防護服システム５は、医療専門家によって着用されたときに、サージカルヘルメット２２Ａ、２２Ｂの上に少なくとも部分的に配設されるように構成された防護服装置１０を含むことができる。処置中に、必要になり得ることは、前照灯１２が、サージカルヘルメット２２Ａ、２２Ｂに結合されることおよび防護服装置１０によって画定されるバリアの着用者側にあることである。しかしながら、不利であろうことは、医療専門家が、医療処置中に、滅菌バリアを危うくすることなく、前照灯１２を調整することを要求された場合である。したがって、開示される防護服装置１０が含んでいるレンズ組立体１４は、防護服装置１０によって画定される滅菌バリアの環境側に少なくとも部分的に配設されており、防護装置１０によって画定される滅菌バリアを破壊することなく、前照灯１２から放出される光の強度および／または方向の調整を可能にする。
【００２９】
図２Ａ〜２Ｃを参照すると、図１Ａの防護服システム５と共に使用するための防護服装置１０Ａ、１０Ｂ、１０Ｃの様々な例示的な構成が例証されている。理解されるであろうことは、防護服装置１０Ａ、１０Ｂ、１０Ｃが環境側および着用者側を画定するように構成できるということである。バリアは、着用者が外科的処置の経過中に生成され得る患者からの物質の流体または固体粒子に曝露され得る可能性を実質上排除できる。バリアは、着用者によって放出される任意の異物の移動が、外科的処置中に患者に移動するのを実質上防止できる。防護服装置１０が含むことのできるサージカルガーメント２０は、着用者と周囲環境との間の微生物バリアなどのバリアを少なくとも部分的に画定するように構成されたサージカル布２４を含む。サージカルガーメント２０は、サージカルヘルメット２２Ａ、２２Ｂの上に配置されるべきフードまたはトーガとして構成できる。１つの構成では、図１および２Ａに示されたように、サージカルガーメント２０は、フードにすることができる。フードは、着用者によって着用されたときに、頭をカバーして首の下の短い距離だけ延びそうであるサージカルガーメント２０を指す。そのうえ、サージカルガーメント２０は、サージカルヘルメット２２の上に位置でき、サージカルヘルメット２２Ａ、２２Ｂ、および、対応して、システム５を着用する人の頭、を取り囲んで、それによって、着用者の顔および頭の後部をカバーするように構成できる。代替として、サージカルガーメント２０は、トーガ、シャツ、またはジャケットにすることができる。別の例では、トーガは、フードと同じ方法で頭をカバーして、着用者によって着用されたときに、少なくとも腰まで延びるサージカルガーメント２０を指す。
【００３０】
サージカルガーメント２０は、水、デブリ、および他の汚染物質をはじくおよび／または吸収するのを助けるために、任意の適切なサージカル布２４または布の組合せから製造できる。サージカル布２４は、複数の層を含むことができる。１つのそういった層は、微生物バリアを維持しながらガスが布２４を通過するのを可能にする微孔性フィルムにすることができる。更に企図されるのは、サージカルガーメント２０がバリアを画定するために互いに結合された複数の異なった布で構成できるということである。
【００３１】
防護服装置１０は、フェイスシールド２６Ａ、２６Ｂを含むこともできる。防護服装置１０Ａ、１０Ｂ、１０Ｃのフェイスシールド２６Ａ、２６Ｂ部分は、着用者がサージカルガーメント２０によって提供されるバリアを通して見るのを可能にする。フェイスシールド２６Ａ、２６Ｂは、概ねシート状の構造であり、任意の適切な厚さを有することができる。フェイスシールド２６は、サージカルガーメント２０の布２４に形成された開口または切欠きに実装および／または取付けできる。布２４は、縫製、スナップ、フックアンドフープ、接着剤、溶着、またはそれらの任意の組合せによって、フェイスシールド２６Ａ、２６Ｂの周囲または縁の周りに取付けできる。フェイスシールド２６Ａ、２６Ｂは、ポリカーボネートなどの透明な材料から構築することができる。フェイスシールド２６Ａ、２６Ｂは、明るい光の高められた曝露から着用者の目を保護するために、着色することもできる。更にまた、フェイスシールド２６Ａ、２６Ｂは、フェイスシールド２６が異なったヘッドサイズに対応するように湾曲できるように、可撓性にすることができる。フェイスシールド２６Ａ、２６Ｂは、サージカルガーメント２０が医療専門家によって着用されるサージカルヘルメットの上に配設されるときに、着用者の顔の前に位置するであろう。
【００３２】
図２Ａを参照すると、フェイスシールド２６Ａの第１の構成を含む防護服装置１０Ａの第１の構成が例証されている。防護服装置１０Ａのこの構成では、フェイスシールド２６Ａは、サージカルガーメント２０の開口に配設されるシート状の構造を含む。サージカルガーメント２０の開口は、シールド２６Ａの任意の穴または開口がサージカルガーメント２０によってカバーされるように、シールド２６Ａの周囲に結合し、着用者と環境との間に強固な滅菌バリアを作成する。これは、サージカルヘルメット２２Ａ、２２Ｂと結合するように構成されるフェイスシールド２６Ａの上部の開口をカバーするサージカルガーメント２０を含むことができる。サージカルガーメント２０は、サージカルヘルメット２２Ａ、２２Ｂの対応する締結具と結合するように構成されたフェイスシールド２６Ａに結合される鉄製または磁性のリベットをカバーすることもできる。
【００３３】
図２Ｂを参照すると、フェイスシールド２６Ｂの第２の構成を含む防護服装置１０Ｂの第２の構成が例証されている。フェイスシールド２６Ｂは、１つまたは複数の開口２８を含むことができる。例えば、フェイスシールド２６Ｂは、図２Ｂに例証されたように、１つの開口２８を含むことができる。開口は、サージカルヘルメット２２の前照灯１２および／またはレンズ組立体１４と相互作用および／または係合するように構成できる。代替として、同じく企図されるのは、フェイスシールド２６Ｂが２つの開口を含むことができるということである。例えば、フェイスシールド２６Ｂは、前照灯１２および／またはレンズ組立体１４と共に使用するための第１の開口２８と、サージカルヘルメット２２Ａ、２２Ｂをフェイスシールド２６Ｂに固定するための第２の開口と、を含む。この例では、防護服装置１０Ｂは、図１Ａに例証されたように、ヘルメット２２Ａ、２２Ｂの上に配設できる。１つの構成では、サージカルヘルメット２２Ａ、２２Ｂは、フェイスシールド２６Ｂの第２の開口またはアパーチャと雌雄嵌合するように構成されたタブを含むことができる。しかしながら、フェイスシールド２６Ｂの第２の開口は、曝露されないように、サージカルガーメントによってカバーされるであろう。
【００３４】
図２Ｃを参照すると、フェイスシールド２６Ａに結合されたレンズ組立体１４Ａを含む防護服装置１０Ａの例示的な構成。レンズ組立体１４は、環境側で着用者によって操作可能であるのが、滅菌バリアを破壊することなく、前照灯からの光の強度および／または方向を方向付けおよび／または操作することであるように、防護服装置１０に結合できる。レンズ組立体１４は、光を外科用作業空間に方向付ける目的で、前照灯自体を調整、傾斜、焦点合わせ、および／または操作するために、操作できる。レンズ組立体１４は、更に下で詳細に説明されるであろう。
【００３５】
図３Ａ〜３Ｃを参照すると、前照灯１２を含むサージカルヘルメット２２と共に使用するためのレンズ組立体１４の様々な構成が例証されている。レンズ組立体１４は、防護服装置１０Ａの環境側に少なくとも部分的に配設されるように構成されるハウジング４８Ａ、４８Ｂ、４８Ｃを含むことができる。ハウジング４８Ａ、４８Ｂ、４８Ｃは、フェイスシールド２６Ａ、２６Ｂに近接して位置して、レンズ組立体を防護服装置１０Ａ、１０Ｂ、１０Ｃに取り付けるために結合部材４０Ａ、４０Ｂ、４０Ｃと係合するように構成できる。これは、防護服装置１０Ａ、１０Ｂ、１０Ｃのタイプおよび／または構成に応じて、幾つかの異なった方法で、達成できる。例えば、結合部材４０は、防護服装置１０Ａの着用者側のフェイスシールド２６Ａの内面に配設および／または結合されるように構成できる。ハウジング４８は、次には、防護服装置１０Ａの着用者側のフェイスシールド２６Ａの外面に配設および／または結合されるように構成できる。代替として、同じく企図されるのは、結合部材４０Ｂおよび／またはハウジング４８Ｂがフェイスシールドの開口２８の内部に少なくとも部分的に配設できるということである。例えば、ハウジング４８Ｂの一部は、着用者側に少なくとも部分的に配設された制御部材４０Ｂがハウジング４８に結合できるように、フェイスシールド２６Ｂの開口２８の内部に少なくとも部分的に配設できる。更に別の構成では、結合部材４０Ｃの一部は、環境側に少なくとも部分的に配設されたハウジング４８Ｃが制御部材１８Ｃに結合できるように、フェイスシールド２６Ｂの開口２８の内部に少なくとも部分的に配設できる。例示的な構成は、図３Ａ〜３Ｃに関して下でより詳細に説明されるであろう。
【００３６】
図３Ａおよび３Ｂを参照すると、レンズ組立体１４Ａ、１４Ｂは、一般的に制御部材１８Ａ、１８Ｂを含むことができる。制御部材１８Ａ、１８Ｂは、防護服装置１０Ａ、１０Ｂの環境側に配設でき、レンズ組立体１４Ａ、１４Ｂのハウジング４８Ａ、４８Ｂに係合するように構成できる。制御部材１８Ａ、１８Ｂは、レンズ組立体１４Ａ、１４Ｂを通過する光の方向および／または強度を操作するように構成されたレンズ５８Ａ、５８Ｂを含むこともできる。制御部材１８Ａ、１８Ｂは、滅菌バリアを破壊または危うくすることなく、前照灯１２からの光の強度を方向付けおよび／または操作するために、環境側で着用者によって操作可能にできる。例えば、制御部材１４Ａ、１４Ｂは、制御部材１８Ａ、１８Ｂがハウジング４８Ａ、４８Ｂおよび／または前照灯１２に対する制御部材１８Ａ、１８Ｂひいてはレンズ５８Ａ、５８Ｂの位置を操作するために回転できるように、ハウジング４８Ａ、４８Ｂに螺合するように構成できる。代替として、制御部材１８Ａ、１８Ｂは、制御部材１８Ａ、１８Ｂがハウジング４８Ａ、４８Ｂおよび／または前照灯１２に対する制御部材１８Ａ、１８Ｂひいてはレンズ５８Ａの位置を操作するためにハウジング４８Ａ、４８Ｂに対して摺動できるように、ハウジング４８Ａ、４８Ｂに摺動係合するように構成できる。レンズ組立体１４Ａは、ハウジング４８Ａ、４８Ｂおよび／または前照灯１２に対する制御部材１８Ａ、１８Ｂひいてはレンズ５８Ａ、５８Ｂの位置を操作することが、レンズ組立体１４Ａ、１４Ｂを通過する光の方向および／または強度を調整するであろうように、構成できる。この概念は、下でより詳細に解説されるであろう。
【００３７】
図３Ａは、図２Ａの防護服装置１０Ａの第１の構成に結合するように構成されたレンズ組立体１４Ａの第１の構成の部分分解図を例証している。防護服装置１０Ａの第１の構成は、フェイスシールド２６Ａの第１の構成を含むことができる。上で説明されたように、フェイスシールド２６Ａは、防護服装置１０Ａが強固な滅菌バリアを形成する目的で、フェイスシールド２６Ａがサージカルガーメント２０に結合されているときに、露出した開口またはアパーチャを何ら含まない。そういった構成では、レンズ組立体１４Ａの一部は、フェイスシールド２６Ａと一体的に形成および／またはフェイスシールド２６Ａに結合できる。例えば、フェイスシールド２６Ａは、フェイスシールド２６Ａの環境側に形成されたハウジング４８Ａの特徴部を含む単一の部片として形成できる。ハウジング４８Ａがフェイスシールド２６Ａの一部として形成されるときに、ハウジング４８Ａは、防護服装置１０Ａによって作り出された滅菌バリアを維持するために、レンズ１６Ａを含むであろう。代替として、企図されるのは、レンズ組立体１４が接着剤によってフェイスシールド２６Ａに取付けできるということである。この構成では、結合部材４０Ａは、着用者側のフェイスシールド２６Ａに接着でき、レンズ組立体１４のハウジング４８Ａは、滅菌バリアの環境側のフェイスシールド２６Ａに接着できる。更に別の構成では、レンズ組立体１４は、磁気引力によってフェイスシールド２６Ａに取付けできる。例えば、フェイスシールド２６Ａは、レンズ組立体の配置および／または位置決めを支援するために、フェイスシールド２６Ａの面上の凹所またはデテントなどの配置特徴部を含むことができる。結合部材４０Ａおよびハウジング４８Ａの個々は、フェイスシールド２６Ａのそれぞれの面上の配置特徴部と係合および／または嵌合するように構成された同様の特徴部を有することができる。結合部材４０Ａおよびハウジング４８Ａの個々は、フェイスシールド２６Ａを横切って結合部材４０Ａとハウジング４８Ａとの間に磁気引力を作り出すように構成された鉄材料または磁性材料の一方を含むこともできる。例えば、結合部材４０Ａは、鉄材料および磁性材料の一方を含むことができ、ハウジング４８Ａは、鉄材料および磁性材料の他方を含むことができ、したがって、結合部材４０Ａおよびハウジング４８Ａの双方がフェイスシールド２６Ａのそれらのそれぞれの側に位置するときに、鉄材料および磁性材料は、レンズ組立体１４Ａをフェイスシールド２６Ａに取り外し可能に取り付ける結合部材４０Ａとハウジング４８Ａとの間の磁気引力を作り出す。代替として、企図されるのは、フェイスシールド２６Ａが、フェイスシールド２６Ａに埋め込まれている鉄材料および磁性材料の一方を含むことができ、制御部材４０Ａおよびハウジング４８Ａが、鉄材料および磁性材料の他方を含むことができ、フェイスシールド２６Ａと結合部材４０Ａおよびハウジング４８Ａとの間に磁気引力を作り出すということである。前照灯１２は、次には、防護服装置１０Ａがサージカルヘルメット２２の上に配設されるときに、結合部材４０Ａに近接して位置および／または結合できる。追加として、制御部材１８Ａは、レンズ組立体１４Ａを通過する光の方向および／または強度を操作するために、上で説明された方法のうちの１つで操作されるように同様に構成できる。
【００３８】
図３Ｂは、図２Ｂの防護服装置１０Ｂの第２の構成に結合するように構成されたレンズ組立体１４Ｂの第２の構成の部分分解図を例証している。上で説明されたように、フェイスシールド２６Ｂは、１つまたは複数の開口またはアパーチャ２８Ｂを含むことができる。追加の開口を含む開口２８Ｂの場所および形状は、変化できる。形状構成は、円形、長円形、正方形または同種のものなどの任意の適切な形状にすることができる。例えば、円形の形状構成を備えたフェイスシールド２６Ｂの中央部分に近接する開口２８Ｂ。更にまた、防護服装置１０Ｂは、フェイスシールド２６Ｂの追加の材料が開口２８Ｂにまたがるように、開口２８Ｂの内部に配設されたフェイスシールド２６とは異なった他の材料を含むことができる。そういった構成では、レンズ組立体１４Ｂは、開口２８Ｂを介してフェイスシールド２６Ｂと結合するように構成できる。例えば、結合部材４０Ｂは、開口２８Ｂに結合するかまたはその内部に部分的に配設されるように構成できる。前照灯１２は、次には、防護服装置１０Ｂによって形成されるバリアの着用者側の結合部材４０Ｂの部分と結合するように構成できる。ハウジング４８Ｂは、次には、防護服装置１０Ｂの開口２８Ｂの内部に配設された結合部材４０Ｂの部分と結合するように構成できる。この構成では、制御部材４０Ｂは、防護服装置１０Ｂによって作り出される滅菌バリアを維持するために、レンズまたはカバー１５Ｂを含むであろう。制御部材１８Ｂは、レンズ組立体１４Ｂを通過する光の方向および／または強度を操作するために、ハウジング４８Ｂに結合されて上で説明された方法のうちの１つで操作されるように同様に構成できる。
【００３９】
図３Ｃを参照すると、レンズ組立体１４Ｃの第３の構成の部分分解図が例証されている。レンズ組立体１４Ａ、１４Ｂの先に説明された構成と同様に、レンズ組立体１４Ｃの第３の構成は、レンズ組立体１４Ｃを防護服装置１０Ｃのフェイスシールド２６Ａ、２６Ｂに結合するために、結合部材４０Ｃと結合するように構成されたハウジング４８Ｃを含むことができる。図３Ｃに例証されたように、防護服装置１０Ｃは、制御ハウジング４０Ｃがフェイスシールド２６Ｃと一体的に形成されるように構成できる。この構成では、制御部材４０Ｃは、防護服装置１０Ｃによって作り出される滅菌バリアを維持するために、レンズまたはカバー１５Ｃを含むであろう。フェイスシールド２６Ｃと一体的に形成されるような制御部材４０Ｃは、制御部材４０Ｃの部分４３が、前照灯１２に係合および／または結合するために、フェイスシールド２６Ｃの着用者側に配設されるように構成できる。フェイスシールド２６Ｃと一体的に形成されるような制御部材４０Ｃは、制御部材４０Ｃの部分４３Ｃが、レンズ組立体１４Ｃのハウジング４８Ｃに係合および／または結合するために、フェイスシールド２６Ｃの環境側に配設されるように、構成することもできる。
【００４０】
レンズ組立体１４Ｃは、レンズ組立体１４Ｃを通過する光の方向および／または強度を操作するためのレンズ５８Ｃを含む制御部材１８Ｃを含むことができる。しかしながら、レンズ組立体１４Ｃは、調整可能部１７を含むこともできる。調整可能部１７は、制御部材１８Ｃとハウジング４８Ｃとの間に配設されて、レンズ組立体１４Ｃを通過する光の方向をユーザが更に操作するのを可能にするように構成できる。例えば、調整可能部１７は、ユーザがハウジング４８Ｃに対する制御部材１８Ｃの位置および／または配向、ひいては、光の方向を更に操作できるのを可能にするような可撓性アームを含むことができる。調整可能部１７は、ユーザが、光がレンズ組立体１４Ｃを出ることのできる場所を制御する制御部材１８Ｃとハウジング４８との間の距離を更に操作するのを可能にする、拡張式および／または折り畳み式のアームを含むこともできる。調整可能部１７の例は、調整可能部１７の内部に少なくとも部分的に配設された光ファイバケーブル１９を備えた半剛性スリーブまたは部材を含むことができる。調整可能部１７は、光を手術領域に向けて方向付けおよび／または角度付けするために、ユーザが制御部材５８Ｃの位置を操作するのを可能にするように構成できる。調整可能部１７は、ユーザによって更に操作されるまで、制御部材５８Ｃおよび光ファイバケーブルを、防護服装置１０Ｃおよび／またはサージカルヘルメット２２に対して固定位置に維持するように構成できる。
【００４１】
レンズ組立体１４Ａ、１４Ｂ、１４Ｃ、結合部材４０Ａ、４０Ｂ、４０Ｃ、および、フェイスシールド２６Ａ、２６Ｂ、２６Ｃと共に使用するためのハウジング４８Ａ、４８Ｂ、４８Ｃの様々な組合せがあるが、それらは、限定することを意図していない。上で説明された組合せは、防護服装置１０Ａ、１０Ｂ、１０Ｃの単なる例示的な構成であり、上で説明された構成要素を利用して、レンズ組立体１４Ａ、１４Ｂ、１４Ｃ、結合部材４０Ａ、４０Ｂ、４０Ｃ、および、フェイスシールド２６Ａ、２６Ｂ、２６Ｃを備えたハウジング４８Ａ、４８Ｂ、４８Ｃを結合するための追加の組合せが企図される。
【００４２】
ＩＩ．レンズ組立体
上で説明されたように、着用者と周囲環境との間に滅菌バリアを維持し、外科的な処置中に光の特性を調整する目的で、防護服システム５は、フェイスシールドの環境側に少なくとも部分的に配設されるレンズ組立体１４を含む防護服装置１０を含むことができる。
【００４３】
図４を参照すると、線Ａ−Ａに沿った図１Ａの防護服システム５の一部の断面図が例証されている。防護服システム５は、レンズ組立体１４Ｂを含む防護服装置１０Ｂに結合されたサージカルヘルメット２２の前照灯１２を含む。上で説明されたように、前照灯１２は、前照灯本体３７を含むことができる。前照灯本体３７は、任意の適切な構成で形成できる。前照灯１２は、透明カバー３６と、前照灯本体３７の内部に少なくとも部分的に配設された光源３８と、を含むこともできる。透明カバー３６は、光が通過するのを可能にするように構成されたレンズ、スクリーン、シールド、または他の類似のカバー機構を含むことができる。透明カバー３６は、光源３８によって伝達される光が通過するのを可能にしながらも、塵埃、泥、または湿気が前照灯１２の内部に進入するのを防止する目的で、前照灯本体３７によって画定される前照灯開口をカバーするように構成できる。透明カバー３６は、これらに限定されないが、プラスチック、ガラス、および／または同種のものを含む任意のタイプの材料を含むことができる。追加として、透明カバー３６は、どのような光学能動要素も備えないプレーンシート、あるいは、円筒レンズ、球面レンズ、フレネルレンズ、プリズムおよび同種のものなどの光学能動要素を備えた拡散レンズにすることができる。１つの構成では、前照灯１２は、任意の数のスクリーン、レンズ、および／または反射器を含むことができる。
【００４４】
前照灯本体３７は、結合部材４０と結合するように構成された取付け部４２を更に含むことができる。結合部材４０は、結合部４０および前照灯１２が共に結合されるときに、前照灯１２の取付け部４２および結合部材の結合部４４が互いに係合するように構成されるように結合部４４を含むことができる。例えば、前照灯１２の取付け部４２は、結合部材４０の相補的な結合部４４に雌雄嵌合的に係合するように構成できる。取付け部４４および結合部材４０は、これらに限定されないが、スナップ嵌合またはデテント連結、磁気連結、ねじ連結、および同種のものを含む任意の構成にすることができる。例えば、図４に示されたように、結合部４４は、デテントを含む結合部材４０から突出するアームを含むことができる。結合部４４のデテントは、結合部材４０および前照灯１２を取り外し可能に結合するために凹所またはノッチを含む前照灯１２の取付け部４２に係合するように構成できる。
【００４５】
代替として、図に例証されていないが、同じく企図されるのは、結合部材４０および／またはレンズ組立体１４がヘルメット２２に結合するように構成できるということである。図１Ｃに例証されたように、企図されるのは、ヘルメット２２Ｂが取付け部４５を含むことができるということである。この構成では、前照灯１２は、上で説明されたようにヘルメット２２Ｂの取付け部４５に取付けできる。結合部材４０の結合部４４は、次には、結合部材４０および／またはレンズ組立体１４が取付け部４５を介してヘルメット２２Ｂに取付けられるときに、前照灯１２がレンズ組立体１４と位置合わせされるように、前照灯１２に、ヘルメット２２Ｂの取付け部４５に、またはそれらの幾つかの組合せに直接結合されるように構成できる。例えば、結合部材４０の結合部４４は、結合部材４０がヘルメット２２に結合されるように、ヘルメット２２Ｂの取付け部４５と雌雄嵌合するように構成できる。この構成では、前照灯１２は、結合部材４０および前照灯１２が位置合わせされるように、ヘルメット２２Ｂの取付け部４５に結合することもできる。そういった構成では、結合部材４０は、防護服装置１０がヘルメット２２Ｂの上に配設されるときに、フェイスシールド２６の内面に当接できる。同じく企図されるのは、前照灯１２が、ヘルメット２２Ｂの取付け部４５に取り外し可能に結合でき、レンズ組立体１４の結合部材４０が、図４の前照灯１２およびレンズ組立体１４に関して上で説明されたのと同様の方法で前照灯１２に結合できるということである。
【００４６】
上で企図された構成では、結合部材４０は、使い捨ておよび／または再利用可能にできる。例えば、結合部材４０は、防護服装置１０の処分、および、処置もしくは検査に続くサージカルヘルメット２２の再利用を可能にするために、取り外し可能に結合できる。代替として、同じく企図されるのは、結合部材４０が、防護服装置１０に恒久的に結合でき、処置もしくは検査に続いて処分されるということである。
【００４７】
レンズ組立体１４は、防護服装置１０の環境側に配設されたハウジング４８および制御部材１８を含むこともできる。ハウジング４８は、任意の適切な方法でフェイスシールド２６と統合または恒久的に取付けできる。例えば、ハウジング４８は、サージカルガーメント２０のフェイスシールド２６を備えた単一のユニットとして統合できる。この構成では、ハウジング４８は、防護服装置１０がヘルメット２２の上に配設されるときに、ハウジング４８がサージカルガーメント２０の着用者側の前照灯１２／結合部材４０と位置合わせされるであろうように、接着剤を使用してフェイスシールド２６の環境側に結合できる。レンズ組立体１４のハウジング４８をシールド２６の環境側に恒久的に結合する適切な方法は、これらに限定されないが、溶着、接着、または同種のものを含むことができる。この構成では、レンズ組立体１４の他の構成要素は、取り外し可能にできる。例えば、制御部材１８は、取り外して再利用できる。代替として、同じく企図されるのは、ハウジング４８が防護服装置１０に取り外し可能に結合できるということである。例えば、ハウジング４８は、フックアンドループ材料、ストラップなどの中間連結材料を介して、あるいは、スナップおよび同種のものによって、防護服装置１０に結合できる。この構成では、フック部分は、ハウジング４８に配設でき、ループ部分は、フェイスシールド２６に配設でき、その逆もそうである。同じく企図されるのは、フェイスシールド２６Ｂが開口２８を含む防護服装置１０Ｂの構成では、ハウジング４８Ｂが、フェイスシールド２６Ｂの開口２８Ｂとの摩擦嵌合または他の類似の連結を作り出すように構成された保持特徴部を含むことができるということである。更に別の構成では、ハウジング４８Ｂは、フェイスシールド２６Ｂの開口２８Ｂを通って延びるように構成されて結合部材４０Ｂに結合された保持特徴部を含むことができる。
【００４８】
フェイスシールド２６Ｂが開口２８を含む構成では、ハウジング４８Ｂおよび／または結合部材４０Ｂは、フェイスシールド２６Ｂに強固なバリアを提供するために、レンズまたはカバーを含むことができる。例えば、図４に例証されたように、ハウジング４８は、フェイスシールド２６に恒久的に結合でき、また、防護服装置１０によって提供されるバリアに破損または開口が存在しないように、レンズ１６を含むことができる。この構成では、結合部材４０は、ハウジング４８および／またはフェイスシールド２６に取り外し可能に結合できる。代替として、図４に例証されているが、同じく企図されるのは、結合部材４０が、防護服装置１０によって提供されるバリアに破損または開口が存在しないように、レンズ／カバーを含むことができてフェイスシールド２６に恒久的に結合できるということである。この構成では、ハウジング４８は、結合部材４０および／またはフェイスシールド２６Ｂに取り外し可能に結合できる。
【００４９】
レンズ組立体１４は、もう１つレンズ１６、５８を更に含むことができる。図４に例証されたように、レンズ組立体１４は、第１のレンズ１６および第２のレンズ５８を含むことができる。第１のレンズ１６は、ハウジング４８に結合でき、第２のレンズ５８は、レンズ組立体１４の制御部材１８に結合できる。第１のレンズ１６および第２のレンズ５８は、それぞれハウジング４８および制御部材１８にぴったり嵌合するように構成できる。上で説明されたように、制御部材１８は、ユーザによって操作可能であるように構成できる。制御部材１８およびハウジング４８は、制御部材１８の操作が制御部材１８ひいては第２のレンズ５８をハウジング４８ひいては第１のレンズ１６に対して動かすように、共に結合できる。制御部材１８は、着用者が、制御部材１８を回転、摺動、または同様に操作することによって、第１のレンズ１６に対する第２のレンズ５８の位置を調整するために、制御部材１８を容易に操作できるように、構成できる。
【００５０】
制御部材１８の操作のタイプおよび／またはハウジング４８と制御部材１８との間の結合に応じて、レンズ組立体１４の特性が調整される。１つの例では、制御部材１８の操作は、第１のレンズ１６および／または第２のレンズ５８の距離または位置を変えることができる。第１のレンズ１６から第２のレンズ５８の距離を変えることは、前照灯１２から所望の焦点７４への光を変える。代替として、第１のレンズ１６から第２のレンズ５８の距離を変えることは、前照灯１２からの光路を変えることができる。所望の焦点７４は、これらに限定されないが、作業空間または関心エリアを含むことができる。代替として、レンズ１６、５８の距離または位置を変えることは、前照灯１２からの光路を変えることができる。別の例では、制御部材１８の操作は、前照灯から放出される光の角度を変えることができる。この例では、ハウジング４８は、反射器、光ファイバケーブル、および同種のものを含むことができる。例示的な構成では、図３Ｃに例証されたように、レンズ組立体１４は、着用者による制御部材１８の操作が光の角度を変えるように、延長可能または移動可能にできる。この構成では、ハウジング４８は、光の角度を変えるのを支援するために、光ファイバケーブル、反射器または同種のものを含むことができる。例えば、任意の数の反射面または光ファイバケーブルの使用と組み合わせて、前照灯１２からの光は、手術野、作業空間、および／または患者が照明されるように、再方向付けまたは関節運動できる。理解されるであろうことは、レンズ組立体１４の他の特性が、これに限定されないが、レンズ組立体１４の全反射を調整することを含むことができるということである。
【００５１】
図４の断面図は、第１のレンズ１６および第２のレンズ５８を含む例示的なレンズ組立体１４を例証しているが、企図されるのは、レンズ組立体１４が任意の数のレンズを含むことができるということである。例えば、図には例証されていないが、企図されるのは、レンズ組立体１４が１つ（第１）のレンズ１６だけを含むことができるということである。更にまた、企図されるのは、システム５が任意の数の追加のレンズを含むことができるということである。例えば、レンズ組立体１４は、上で説明された前照灯１２の透明カバー３６と同様のスクリーンまたはカバーを含むこともできるということである。同じく企図されるのは、前照灯１２が透明カバー３６などの追加のレンズを含むことができるということであり、前照灯１２、レンズ組立体１４および透明シールド２６の組合せは、前照灯１２によって生成される光の方向および／または強度を修正するために、共に働く複数のレンズを含むシステム／組立体を含む。幾つかの構成では、「第１の」レンズおよび「第２の」レンズは、交換可能にできる。例えば、前照灯１２は、「第１の」レンズを含むことができ、レンズ組立体１４は、「第２の」レンズを含むことができ、その逆もそうである。
【００５２】
図５Ａ〜６Ｂを参照すると、前照灯１２と共に使用するためのレンズ組立体１４Ａ、１４Ｂの２つの例示的な構成が例証されている。上で説明されたように、レンズ組立体１４Ａ、１４Ｂは、結合部材４０Ａ、４０Ｂを含むことができる。結合部材４０Ａ、４０Ｂは、円形、長円形、または多角形の形状などの任意の適切な形状を含むことができる。結合部材４０Ａ、４０Ｂは、前照灯１２から生成された光が通過することのできる様々な形状および／またはサイズを有する凹所を含むことができる。
【００５３】
図５Ａおよび５Ｂを参照すると、レンズ組立体１４Ａの第１の構成および結合部材４０Ａの第１の構成があり、結合部材４０Ｂは、内側部分４１Ａおよび外側部分４３Ａを有することができ、内側部分４１Ａは、前照灯１２に結合するための取付け部４４Ａを含む。結合部材４０Ａは、図２Ａおよび３Ａに例証されたように、フェイスシールド２６Ａを含む防護服装置１０Ａの第１の構成と結合されるように構成できる。この構成では、フェイスシールド２６Ａは、露出した開口を何ら含まない。結合部材４０Ａの外側部分４３Ａは、フェイスシールド２６Ａの摩耗側に当接できる。上で説明されたように、結合部材４０Ａは、結合部材４０Ａをフェイスシールド２６Ａに結合するための保持特徴部３９Ａを含むことができる。保持特徴部３９Ａは、磁石、フックアンドループ、接着剤、または同様の締結具を含むことができる。フェイスシールドおよび／またはハウジング４８Ａは、次には、対応する保持特徴部４８Ａを含むことができる。例えば、結合部材４０Ａは、鉄材料を含む保持特徴部３９を含むことができ、ハウジング４８Ａは、磁性材料を含む保持特徴部４９を含むことができ、したがって、結合部材４０Ａおよびハウジング４８Ａの双方がフェイスシールド２６Ａのそれらのそれぞれの側に位置するときに、鉄材料および磁性材料は、結合部材４０Ａとハウジング４８Ａとの間に磁気引力を作り出し、レンズ組立体をフェイスシールド２６Ａに取り外し可能に取付けされる。代替として、企図されるのは、結合部材４０Ａが、磁性材料を含む保持特徴部３９Ａを含むことができ、フェイスシールドが、フェイスシールド２６Ａに埋め込まれている鉄材料を含むことができ、したがって、鉄材料および磁性材料が結合部材４０Ａとフェイスシールド２６Ａとの間に磁気引力を作り出すことである。この構成では、ハウジング４８Ａは、フェイスシールド２６Ａに埋め込まれている鉄材料とハウジング４８Ａの磁性材料とがハウジング４８Ａとフェイスシールド２６Ａとの間に磁気引力を作り出すように、磁性材料を含む保持特徴部４９を同様に含むことができる。
【００５４】
図６Ａおよび６Ｂを参照すると、レンズ組立体１４Ｂの第２の構成および結合部材４０Ｂの第２の構成があり、結合部材４０Ｂは、内側部分４１Ｂおよび外側部分４３Ｂを有することができ、内側部分４１Ｂは、前照灯１２に結合するための取付け部４４Ｂを含む。結合部材４０Ｂは、図２Ｂおよび３Ｂに例証されたように、開口２８Ｂを備えたフェイスシールド２６Ｂを含む防護服装置１０Ｂの第２の構成と結合するように構成できる。結合部材４０Ｂの外側部分４３Ｂは、フェイスシールド２６Ｂの着用者側に当接でき、結合部材４０Ｂによって画定されるアパーチャは、開口２８Ｂを概ね取り囲むことができる。代替として、結合部材４０Ｂは、開口２８Ｂを取り囲む必要がない。例えば、結合部材４０Ｂは、開口２８Ｂに近接するフェイスシールド２６Ｂの着用者側に結合された１つまたは複数の個別のタブを含むことができる。ハウジング４８Ｂは、フェイスシールド２６Ｂに結合されて、開口をカバーするように構成されたレンズを含むことができる。複数のタブは、前照灯をハウジング４８および／またはレンズ組立体１４Ｂと位置合わせする目的で、前照灯１２に結合するように構成できる。結合部材４０Ｂは、図に示されて本明細書で説明されているもの以外の他の構成を有することができる。
【００５５】
上で述べられたように、結合部材４０は、前照灯１２、ヘルメット２２、および／またはフェイスシールド２６に結合できる。同じく企図されるのは、結合部材４０がレンズ組立体１４に結合するように構成されるということである。上で説明された構成の個々では、企図されるのは、結合部材４０および／またはレンズ組立体１４が使い捨ておよび／または再利用可能にできるということである。例えば、結合部材４０は、防護服装置１０のサージカルガーメント２０およびフェイスシールド２６部分の処分と、滅菌処置／プロセスに続く結合部材４０の再利用と、を可能にするように取り外し可能に結合できる。代替として、結合部材４０は、結合部材４０が処置または試験に続いて防護服装置１０と共に処分されるように、フェイスシールド２６に恒久的に結合できる。同じく企図されるのは、レンズ組立体１４の一部が再利用可能にでき、他方他の部分が処分可能であるということである。例えば、防護服装置１０の或る種の構成において取り外し可能にできるハウジング４８および／または制御部材１８は、再利用可能であるように構成できる。代替として、レンズ組立体１４のハウジング４８部分は、防護服装置１０に恒久的に結合でき、また、防護服装置１０のサージカルガーメント２０およびフェイスシールド２６部分と共に処分できる。
【００５６】
強固なバリアが設けられる構成では、レンズ組立体１４は、別のサージカルガーメント２０と共に再利用可能にできる。図２Ｃを参照すると、着用者は、１つのサージカルガーメント２０と共にレンズ組立体１４を使用し、レンズ組立体１４を取り外し、そして、別のサージカルガーメント２０と共にレンズ組立体１４を使用できる。理解されるであろうことは、レンズ組立体１４のいずれかまたは全ての構成要素が再利用可能にできることである。追加として、レンズ組立体１４は、滅菌バリアを維持する目的で、レンズ組立体１４の各使用および／または取り外しの間に滅菌できる。
【００５７】
図２Ｂに示されたように、フェイスシールド２６Ｂが開口２８Ｂを含む幾つかの構成では、結合部材４０は、上で述べられたような前照灯１２の透明カバー３６と同様のカバー、または、第１のレンズ１６と同様のレンズを含むことができる。カバーまたはレンズと組み合わせた結合部材４０は、フェイスシールド２６およびサージカルガーメント２０残部と協働して滅菌バリアを形成できる。更に、これらの構成では、結合部材４０は、フェイスシールド２６に取り付けられる。他の構成では、第１のレンズ１６と組み合わせたハウジング４８は、フェイスシールド２６と共に滅菌バリアを形成できる。これらの構成では、レンズ組立体１４の制御部材１８などの構成要素は、再利用可能および／または取り外し可能にできる。図３Ｂを参照すると、ハウジング４８Ｂは、いったんハウジング４８がフェイスシールド２６Ｂに当接および／または結合されると、細菌が開口２８Ｂを通って進入または退出できないように、開口２８Ｂの周りでサージカルガーメント２０Ｂに構築および取付けできる。これらの構成では、レンズ組立体１４は、滅菌バリアを破ることなく、再利用可能および／または取り外し可能にできる。
【００５８】
更に他の構成では、フェイスシールド２６が、図２Ａおよび３Ａに示されたように、どのような開口も含まなくてもよく、フェイスシールド２６は、環境側と着用者側との間に強固なバリアを提供する。これらの構成では、レンズ組立体１４のいずれかまたは全ての構成要素は、上で述べられたように、再利用可能、取り外し可能、および／または、使い捨てにできる。前述の構成要素のいずれかを取り外すことは、フェイスシールド２６、結合部材４０、および／または、前照灯１２によって、強固なバリアが提供されるという理由で、環境側と着用者側との間の滅菌バリアを破壊しないであろう。
【００５９】
滅菌バリアは、サージカルガーメント２０の着用者側と環境側との間に配置される。外科的な処置中に導入される任意の微生物または他の汚染物質（例えば、塵埃、粒状物質、他の生物学的物質等々）は、サージカルガーメント２０の環境側に残る、および／または、サージカルガーメント２０の着用者側に残るであろう。
【００６０】
或る種の構成では、レンズ組立体１４の重要な利点は、滅菌バリアが、レンズ組立体１４の制御部材１８の任意の操作を通して維持される連続的な強固なバリアとして設計されることである。そういった強固なバリアは、提供でき、その理由は、一例において、レンズ組立体１４のレンズ１６と組み合わせたハウジング４８が、滅菌バリアがハウジング４８とフェイスシールド２６との間で途切れずに延び得るように、滅菌バリアの一部を形成するために適合されるからである。斯くして、外科的な処置中のレンズ組立体１４のどのような操作も、着用者と環境との間の滅菌バリアを危うくしない。
【００６１】
上で述べられたように、結合部材４０は、取付け特徴部４６によってレンズ組立体１４に結合できる。より具体的には、結合部材４０は、取付け特徴部４６を用いて、レンズ組立体１４のハウジング４８に結合できる。ハウジング４８は、取付け特徴部４６および雌雄嵌合取付け特徴部５０が互いに取付けされるように、（雌雄嵌合）取付け特徴部５０を含むことができる。例えば、図４に示されたように、取付け特徴部４６は、鉄材料を含むことができ、ハウジング４８の雌雄嵌合取付け特徴部５０は、磁石であり、その逆もそうである。取付け特徴部４６が、磁性材料に引き付けられ得る材料を含むときに、ハウジング４８の雌雄嵌合取付け特徴部５０は、追加でまたは代替として、磁性構成要素を含むことができる。換言すると、取付け特徴部５０は、永久磁性材料を含むことができ、相補性要素は、この例では、結合部材４０の取付け特徴部４６であって、鉄材料を含み、その逆もそうである。このように、レンズ組立体１４のハウジング４８は、結合部材４０に、少なくとも部分的に、磁気的に、固定できる。
【００６２】
雌雄嵌合取付け特徴部５０は、雌雄嵌合取付け特徴部５０が結合部材４０の取付け特徴部４６に取付けされるように、レンズ組立体１４の任意の構成要素に結合できる。更に、取付け特徴部５０は、着用者側と環境側との間の滅菌バリアが維持されるように、任意の適切な方法で結合部材４０に取付けできる。
【００６３】
別の例では、取付け特徴部は、圧入または焼き嵌めを含むことができ、それによって、締まり嵌めが存在するのは、結合部材４０とハウジング４８との間であり、２つの要素の一方は、滅菌バリアを維持するのに十分な方法で、サージカルガーメントを貫いて、他方の要素の中に圧力下で押し込まれる。理解されるであろうことは、取付け特徴部４６、５０が、これらに限定されないが、ネジ切り、接着、機械式締結、および／または、圧入を含む、任意のタイプの取付けにできることである。代替として、結合部材４０およびハウジング４８の双方は、フェイスシールド２６に恒久的に取付けできる。
【００６４】
幾つかの構成では、結合部材４０の取付け部４４および取付け特徴部４６は、取付け部４４および取付け特徴部４６が前照灯１２およびレンズ組立体１４の双方を同時に取付けるために構成された同じ特徴部であるように、単一のユニットまたは構成要素であることがある。例えば、結合部材４０は、磁石である。磁石は、開口２８に近接して位置できる。取付け部４４および取付け特徴部４６は、磁力を介してそれぞれ前照灯１２およびレンズ組立体１４に取付けられる。換言すると、取付け部４４および取付け特徴部４６は、結合部材４０の同じ特徴部（磁気力）である。代替として、取付け部４４および取付け特徴部４６は、結合部材４０の異なったおよび／または別個の特徴部であることがある。
【００６５】
更にまた、ハウジング４８は、図面全体に亘って示されたように、制御部材１８に結合するように構成される。ハウジング４８は、任意の適切な方法で制御部材１８に結合できる。制御部材１８は、ハウジング４８に対して動くために、着用者によって操作できる。制御部材１８の様々な構成や操作の技術は、下で詳細に企図される。
【００６６】
１つの構成では、図６Ｂに示されたように、ハウジング４８は、制御部材１８の空洞内の内ネジ５４に螺合するために、それの１つの軸線方向端部に複数の外ネジ５２を含むことができる。外ネジおよび内ネジ５２、５４は、右手ネジまたは左手ネジであることがある。この構成では、着用者は、外ネジ５２が制御部材１８の内ネジ５４に係合して、それによって制御部材１８をハウジング４８に対して動かすように、制御部材１８をハウジング４８に対して回転させることによって、制御部材１８を操作できる。回転の方向に応じて、制御部材１８は、ハウジング４８に向けてまたは離れるように動くために、操作できる。
【００６７】
別の構成では、制御部材１８は、動作または身振り検出器を含むことができる。例えば、制御部材１８を操作するために、着用者は、制御部材１８上の指スワイプなどの動作を実行できる。この構成では、制御部材１８は、任意の数のセンサまたは検出器を含むことができる。
【００６８】
別の構成では、制御部材１８は、レンズ組立体１４のハウジング４８に対して摺動可能に係合できる。換言すると、制御部材１８を操作するために、着用者は、ハウジングに対して、制御部材１８の要素または制御部材１８全体を摺動できる。例えば、制御部材１８は、着用者がレンズ組立体１４の１つまたは複数の特性を変更するために制御部材１８をハウジング４８に対して前方、後方、上方、または、下方に摺動できるように、ハウジング４８に摺動可能に係合できる。
【００６９】
別の構成では、制御部材１８は、ハンドル、レバー、ボタンまたは同種のものなどの形態をとることができる。制御部材１８を操作するために、着用者は、それに力または圧力を適用できる。例えば、制御部材１８は、方向ボタンを含むことができ、着用者が方向ボタンを押すと、レンズ組立体１４の構成要素は、レンズ組立体１４の特性を変更するために、対応する方向に移動できる。
【００７０】
別の構成では、制御部材１８は、制御器を介して遠隔操作可能にできる。追加的に、入力デバイスは、入力デバイスが制御部材１８を操作するために利用できるように、制御部材１８および制御器と通信できる。入力デバイスは、これらに限定されないが、タッチスクリーン機能を備えた表示画面、ジョイスティック、キーボード、マイクロフォン、および、スキャナを含むことができる。
【００７１】
別の構成では、ハウジング４８は、ハウジング４８および制御部材１８がいったん組み立てられると互いに容易に分離できないように、形成できる。例えば、ハウジング４８は、制御部材１８の空洞の内部にスナップ嵌合するように適合された保持ポストを含むことができる。
【００７２】
更に別の構成では、ハウジング４８は、ハウジング４８および制御部材１８が単一の構成要素またはユニットに統合されるように、制御部材１８を含むことができる。この例では、ハウジング４８は、レンズ組立体１４の製造中に制御部材１８と統合できる。代替として、ハウジング４８は、制御部材１８とは別個に製造でき、いったんハウジング４８が制御部材１８に係合すると、構成要素１８、４８は、分離不可能である。
【００７３】
追加として、制御部材１８は、着用者が制御部材１８を容易に操作するのを可能にするように設計された把持特徴部５６を含むことができる。例えば、把持特徴部５６は、制御部材１８に形成された溝にすることができる。動作中、着用者は、制御部材１８を溝５６に沿って把持して、制御部材１８をハウジング４８に手動で結合できる。着用者は、１つの構成では、制御部材１８の内ネジ５４がハウジング４８の外ネジ５２に螺合するように、ハウジング４８に向けて制御部材１８を回転できる。
【００７４】
図７Ａおよび７Ｂを参照すると、レンズ組立体１４の第１のレンズ１６および第２のレンズ５８は、これらに限定されないが、凸面、凹面、および、凹凸（形状）面を含む、任意の様々な形態の任意の数の面を個々が独立して含むことができる。図面全体に亘って示されたように、第１のレンズ１６は、２つの面６０、６２を含むことができ、第２のレンズ５８は、２つの面６４、６６を含むことができる。１つの構成では、第１のレンズ１６の面６０は、凸面にでき、面６２は、凹面にでき、その逆もそうである。別の構成では、第１のレンズ１６の面６０は、凸面にでき、面６２は、平らな面にでき、その逆もそうである。図７Ａおよび７Ｂに例証されたように、例示的な目的のため、別の構成では、第１のレンズ１６は、面６０、６２が内側に湾曲する二重凹レンズであり、第２のレンズ５８は、面６４、６６が外側に湾曲する二重凸レンズである。第１および第２のレンズ１６、５８の面６０、６２、６４、６６は、面の任意の組合せにすることができる。
【００７５】
第１のレンズ１６および／または第２のレンズ５８は、共通の反射によって光を反射する反射器（例えば、ミラー）の形態で、あるいは、光の屈折によって光の集束が達成されるガラスまたはプラスチック材料（光学レンズ）で作られた半透明の物体として、作製できる。１つの構成では、第１および第２のレンズ１６、５８は、ガラスまたはプラスチック材料の半透明の本体から形成されたレンズ材料６８を含む。レンズ材料６８は、剛性または可撓性であることができる。追加として、材料６８は、アクリレートまたはポリスチレン、あるいは、適切な屈折特性を有する同等の低コストであるが耐久性のある透明材料、で作製できる。
【００７６】
フィルム７０および／またはコーティング７２は、面６０、６２、６４、６６のいずれか、あるいは、第１および第２のレンズ１６、５８の任意の他の面、に配設できる。代替として、フィルム７０は、第１および／または第２のレンズ１６、５８の面６０、６２、６４、６６の間に配設できる。図７Ａおよび７Ｂに示されたように、１つの例によれば、第１および第２のレンズ１６、５８の双方の面６０、６２、６４、６６は、フィルム７０およびコーティング７２を用いて層形成される。面６０、６２、６４、６６は、フィルム７０および／またはコーティング７２の任意の数の層を含むことができ、フィルム７０および／またはコーティング７２の層は、厚さが変化できる。理解されるであろうことは、フィルム７０および／またはコーティング７２が、第１のレンズ１６および／または第２のレンズ５８の任意の面６０、６２、６４、６６にあってもよいことである。例えば、フィルム７０およびコーティング７２は、第１のレンズ１６の面６０、６２のうちの１つだけにあってもよい。更に理解されるであろうことは、フィルム７０およびコーティング７２の層形成順序が所望の最適な層形成順序に応じて変化できるということである。
【００７７】
フィルム７０は、プラスチック材料またはガラスで作ることができ、どのような光学能動要素も備えないプレーンシート、あるいは、円筒レンズまたはプリズムなどの光学能動要素を備えた拡散レンズ、にすることができる。追加として、フィルム７０および／またはコーティング７２は、前照灯１２からの光をレンズが反射および透過する方法を変更できる。更に、フィルム７０は、これらに限定されないが、偏光フィルムおよび金属化フィルムを含む任意のタイプのフィルムにすることができる。
【００７８】
コーティング７２は、これらに限定されないが、ティントコーティング、勾配コーティング、ガラスコーティング、プラスチックコーティング、反射防止コーティング、スクラッチ防止コーティング、紫外線コーティング、疎水性コーティング、カラーコーティング、および、ミラーコーティングを含む任意のタイプのコーティングにすることができる。コーティングは、ロールコーティング、グラビアコーティング、バーコーティング、または、押出コーティングなどの任意の従来の方法によってコーティングできる。幾つかの構成では、フィルム７０およびコーティング７２は、コーティング７２がフィルム７０を形成するためにコーティング組成物である単一の層として理解できる。
【００７９】
図８Ａ〜９Ｃを参照すると、レンズ組立体１４の例示的な構成は、レンズ組立体１４の動作を例証するために、ハウジング４８に対して様々な位置の制御部材１８を備えて例証されている。第１に、ハウジング４８および制御部材１８は、図８Ａでは互いに第１の距離Ｄに配置されている。次いで、着用者は、ハウジング４８に対する制御部材１８の位置を操作するために、制御部材１８の溝５６を利用できる。例えば、制御部材１８がねじ連結部を介してハウジングに結合されているとき、ユーザは、制御部材１８とハウジング４８との間の距離を調整する制御部材１８を捩る／回転できる。図８Ｂは、ハウジング４８に対して第２の距離Ｄ’に位置する制御部材１８を例証している。図８Ｃは、ハウジング４８に対して第２の距離Ｄ’’に位置する制御部材１８を例証している。制御部材１８は、制御部材１８とハウジング４８との間の連結のタイプに基づいて、ハウジング４８から任意の数の距離に制御部材１８を位置させるために操作できる。立ち代わって、制御部材１８の操作は、図９Ａ〜９Ｃに示されたように、前照灯１２からの光を再方向付けまたは調整する、第１のレンズ１６と第２のレンズ５８との間の距離を変化させる。
【００８０】
着用者による制御部材１８の操作によって引き起こされる前照灯１２からレンズ組立体１４を通る光の可能な経路は、図９Ａ〜９Ｃに描かれている。ハウジング４８と制御部材１８との間の距離変化は、距離Ｄ、距離Ｄ’、および、距離Ｄ’’として例証されており、それぞれ距離ｄ、距離ｄ’および距離ｄ’’として例証された第１のレンズ１６と第２のレンズ５８との間の距離に変換できる。換言すると、第２のレンズ５８の位置は、第１のレンズ１６に対して調整される。図８Ｃは、距離ｄ’’として第１のレンズ１６および第２のレンズ５８の距離変化に変換する制御部材１８の更なる操作を例証しており、光を所望の焦点７４に向けて再方向付けするかまたは作業空間のより良い視界を提供するために示されている。図９Ａ〜９Ｃに例証されたように、光は、光源３８から放出される。放出光は、前照灯１２のレンズ３６を通過できる。光は、次には、結合部材４０および／またはハウジング４８の内部に配設されたレンズ１６を通過できる。レンズ１６は、放出光を、レンズ組立体１４を通して、レンズ組立体１４の制御部材１８のレンズ５８などの第２のレンズに向けて、収集および／または方向付けするように構成できる。レンズ５８は、次には、光を、結合部材４０および／またはハウジング４８のレンズ１６に対する制御部材１８の位置に基づく方向に向けて、方向付けすることができる。レンズ１６、５８の形状およびレンズ間距離は、焦点７４での光の方向および／または強度を決定できる。
【００８１】
図１０を参照すると、図３Ｃのレンズ組立体１４Ｃを通る前照灯１２からの光の経路の例示的な構成が例証されている。図１０に例証されたように、光は、光源３８から放出される。放出された光は、次には、結合部材４０Ｃおよび／またはハウジング４８Ｃの内部に配設されたレンズ１６によって収集および／またはそれを通過できる。レンズ１６は、収集された光を、光ファイバケーブルの長さおよび／または経路に沿って光を伝送するように構成された光ファイバケーブル１９に、方向付けするように構成できる。光ファイバケーブル１９は、レンズ組立体１４Ｃの制御部材１８Ｃのレンズ５８Ｃなどのレンズで終端するように構成できる。レンズ５８Ｃは、次には、制御部材１８Ｃの位置に基づいて決定される方向に向けて光を方向付けすることができる。
【００８２】
レンズ組立体１４は、着用者が、滅菌バリアを破ることなく、手術中に前照灯１２からの光を再方向付けするのを可能にすることによって、外科的な処置の効率、視界、および、滅菌性を増大させる。更に、着用者は、本明細書で説明されているように着用者が前照灯１２からの光を再方向付けするというよりも寧ろ、前照灯を傾けることによって光を調整するために、滅菌バリアを破壊することを必要としないであろう。そのうえ、レンズ組立体１４は、手術野、作業空間、および、患者に関する着用者の視界が邪魔されないように位置する。
【００８３】
上のことは、システム５の特定の構成に向けられている。理解されるべきことは、システム５の異なった構成の個々の特徴部が、システム５の代替の構成を構築するために組合せできるということである。
【００８４】
更に認識されるであろうことは、用語「含む（ｉｎｃｌｕｄｅ）」、「含む（ｉｎｃｌｕｄｅｓ）」、および、「含むこと（ｉｎｃｌｕｄｉｎｇ）」が用語「含む（ｃｏｍｐｒｉｓｅ）」、「含む（ｃｏｍｐｒｉｓｅｓ）」、および、「含むこと（ｃｏｍｐｒｉｓｉｎｇ）」と同じ意味を有することである。
【００８５】
幾つかの構成は、前述の説明において議論されてきた。しかしながら、本明細書で議論された構成は、網羅的であることや本発明を任意の特定の形態に限定することを意図していない。使用されてきた用語は、限定ではなくて説明の言葉の性質を帯びていることを意図していない。多くの修正および変形は、上の教示に鑑みて可能であり、本発明は、具体的に説明されたというよりも別のやり方で実施できる。
【図１Ａ】
2021529893.tif 000003
【図１Ｂ−Ｃ】
2021529893.tif 000004
【図２Ａ】
2021529893.tif 000005
【図２Ｂ】
2021529893.tif 000006
【図２Ｃ】
2021529893.tif 000007
【図３Ａ】
2021529893.tif 000008
【図３Ｂ】
2021529893.tif 000009
【図３Ｃ】
2021529893.tif 000010
【図４】
2021529893.tif 000011
【図５Ａ】
2021529893.tif 000012
【図５Ｂ】
2021529893.tif 000013
【図６Ａ】
2021529893.tif 000014
【図６Ｂ】
2021529893.tif 000015
【図７Ａ】
2021529893.tif 000016
【図７Ｂ】
2021529893.tif 000017
【図８Ａ】
2021529893.tif 000018
【図８Ｂ】
2021529893.tif 000019
【図８Ｃ】
2021529893.tif 000020
【図９Ａ−Ｂ】
2021529893.tif 000021
【図９Ｃ】
2021529893.tif 000022
【図１０】
2021529893.tif 000023
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
前照灯を有するサージカルヘルメットと共に使用するための環境側および着用者側を画定する着用型サージカルガーメントであって、
医療環境と着用者との間に微生物バリアを提供するように構成されたサージカル布と、
前記サージカル布に結合されるフェイスシールドと、
前記環境側の前記フェイスシールドに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
第１のレンズと、
制御部材と、を備え、
前記制御部材は、前記第１のレンズに動作可能に結合され、前記レンズ組立体の特性を調整するために、前記サージカルガーメントの前記環境側で前記着用者によって操作可能である、着用型サージカルガーメント。
【請求項２】
前記フェイスシールドの前記着用者側に少なくとも部分的に配設された結合部材を更に含む、請求項１に記載の着用型サージカルガーメント。
【請求項３】
前記フェイスシールドは、前記結合部材と前記レンズ組立体との間に配設される、請求項２に記載の着用型サージカルガーメント。
【請求項４】
前記フェイスシールドは、開口を備え、したがって、前記前照灯によって放出された前記光が前記フェイスシールドおよび前記結合部材の前記開口を通って伝達される、請求項２または３に記載の着用型サージカルガーメント。
【請求項５】
前記結合部材は、前記フェイスシールドの前記着用者側に配設されて前記前照灯を前記結合部材に取り外し可能に結合するように構成された取付け部を更に含む、請求項２から４のいずれか１項に記載の着用型サージカルガーメント。
【請求項６】
前記結合部材は、前記レンズ組立体に取り外し可能に結合されるように構成された取付け部を更に含む、請求項２から５のいずれか１項に記載の着用型サージカルガーメント。
【請求項７】
前記結合部材は、前記フェイスシールドの単一の構成要素として少なくとも部分的に形成される、請求項２、４、５、または６のいずれか１項に記載の着用型サージカルガーメント。
【請求項８】
前記レンズ組立体は、第２のレンズを更に備え、
前記サージカルガーメントの前記環境側での前記着用者による前記制御部材の前記操作は、前記前照灯から放出された前記光の方向および／または強度を操作するために、前記第１のレンズに対する前記第２のレンズの位置を調整する、請求項１から７のいずれか１項に記載の着用型サージカルガーメント。
【請求項９】
前記第１のレンズは、前記前照灯によって放出された前記光をフィルタリングするために、前記第１のレンズに配設されたフィルムを更に含む、請求項１から８のいずれか１項に記載の着用型サージカルガーメント。
【請求項１０】
前照灯を有するサージカルヘルメットと共に使用するための防護服装置であって、
環境側および着用者側を画定する着用型サージカルガーメントであって、医療環境と着用者との間に微生物バリアを提供するように構成されたサージカル布を含む、着用型サージカルガーメントと、
前記前照灯に結合されるように構成された結合部材と、
前記環境側で前記サージカルガーメントに結合されて前記前照灯と位置合わせされるように構成されたレンズ組立体と、を備え、
前記レンズ組立体は、
ハウジングと、
前記ハウジングに結合される第１のレンズと、
前記ハウジングに結合される制御部材と、を備え、
前記制御部材は、前記第１のレンズに動作可能に結合されて、前記レンズ組立体の特性を調整するために、前記サージカルガーメントの前記環境側で前記着用者によって操作可能であり、
前記レンズ組立体の前記ハウジングは、前記前照灯に対して前記第１のレンズを位置合わせするために前記結合部材と協働する、防護服装置。
【請求項１１】
防護服システムであって、
着用者の頭の上に着用されるべき、前照灯を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記前照灯に結合するように構成された結合部材と、
前記環境側で前記サージカルガーメントに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
ハウジングと、
前記ハウジングに結合される第１のレンズと、
前記ハウジングに結合される制御部材と、
第２のレンズと、を備え、
前記制御部材は、前記第２のレンズに動作可能に結合されて、前記レンズ組立体の特性を調整するために、前記サージカルガーメントの前記環境側で前記着用者によって操作可能であり、
前記サージカルガーメントの前記環境側の前記着用者による前記制御部材の前記操作は、前記前照灯から放出された前記光を方向付けするために、前記第１のレンズに対する前記第２のレンズの位置を調整する、防護服システム。
【請求項１２】
防護服システムであって、
着用者の頭の上に着用されるべき、取付け部を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記ヘルメットに結合するように構成された結合部材であって、前記取付け部と雌雄嵌合するように構成された雌雄嵌合取付け部を含む、結合部材と、
前記環境側で前記サージカルガーメントに隣接し、前記結合部材と協働するように構成されたレンズ組立体と、を備え、
前記レンズ組立体は、
ハウジングと、
前記ハウジングに結合される第１のレンズと、
前記ハウジングに結合される制御部材と、を備え、
前記制御部材は、前記レンズ組立体の特性を調整するために、前記サージカルガーメントの前記環境側で前記着用者によって操作可能である、防護服システム。
【請求項１３】
静的な前照灯を有するサージカルヘルメットと共に使用するための環境側および着用者側を画定する防護服装置であって、
医療環境と着用者との間に微生物バリアを提供するように構成されたサージカル布と、
前記サージカル布に結合されるフェイスシールドと、
前記環境側の前記フェイスシールドに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
第１のレンズを含んで前記フェイスシールドに結合される制御部材を備え、
前記制御部材は、前記フェイスシールドの前記環境側の前記着用者による前記制御部材の操作が前記フェイスシールドに対する前記第１のレンズの位置を調整するように構成される、防護服装置。
【請求項１４】
前照灯を有するサージカルヘルメットと共に使用するための環境側および着用者側を画定する防護服装置であって、
医療環境と着用者との間に微生物バリアを提供するように構成されたサージカル布と、
前記サージカル布に結合されるフェイスシールドと、
レンズを含む制御部材と、
前記着用者側に少なくとも部分的に配設されて、前記前照灯によって放出された光が前記制御部材の前記レンズを通して伝達されるように前記前照灯またはヘルメットと結合するように構成された結合部材と、を備え、
前記制御部材は、前記フェイスシールドの前記環境側の前記着用者による前記制御部材の操作が前記フェイスシールドに対する前記レンズの位置を調整するように構成される、防護服装置。
【請求項１５】
防護服システムであって、
着用者の頭の上に着用されるべき、前照灯を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記サージカル布に結合されるフェイスシールドと、
前記環境側の前記フェイスシールドに隣接するレンズ組立体であって、前記前照灯によって放出された光が前記レンズ組立体を通して伝達されるように、前記前照灯と位置合わせされるように構成された、レンズ組立体と、を備え、
前記レンズ組立体は、
第１のレンズを含んで前記フェイスシールドに結合される制御部材を備え、
前記制御部材は、前記フェイスシールドの前記環境側の前記着用者による前記制御部材の操作が前記フェイスシールドに対する前記第１のレンズの位置を調整するように構成される、防護服システム。
【請求項１６】
防護服システムであって、
着用者の頭の上に着用されるべき、前照灯を含むサージカルヘルメットと、
環境側および着用者側を画定する前記サージカルヘルメットの上に少なくとも部分的に配設されるように構成されたサージカルガーメントと、を備え、
前記サージカルガーメントは、
医療環境と着用者との間に微生物バリアを提供するように構成されたサージカル布と、
前記サージカル布に結合されるフェイスシールドと、
レンズを含む制御部材と、
前記着用者側に少なくとも部分的に配設されて、前記前照灯によって放出された光が前記制御部材の前記レンズを通して伝達されるように前記前照灯またはヘルメットと結合するように構成された結合部材と、を備え、
前記制御部材は、前記フェイスシールドの前記環境側の前記着用者による前記制御部材の操作が前記フェイスシールドに対する前記レンズの位置を調整するように構成される、防護服システム。
【国際調査報告】
2021529893.tif 000024
2021529893.tif 000025